【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、正の屈折力の第２レンズ群、複数のレンズ群を含む後群より構成され、ズーミングに際して隣り合うレンズ群の間隔が変化するズームレンズであって、
前記第２レンズ群に含まれる少なくとも一部のレンズから構成される防振群Ｌｓは、像ぶれ補正に際して光軸に対して垂直方向の成分を有する方向に移動し、前記防振群Ｌｓの像側に隣接する位置に開口絞りを有し、
前記防振群Ｌｓの焦点距離をｆＬｓ、広角端における射出瞳と像面との距離をＴＥｘｐ、広角端における全系の焦点距離をｆＷとするとき、
１．３０＜ｆＬｓ／ｆＷ＜１０．００
２．００＜ＴＥｘｐ／ｆＷ＜５．００
なる条件式を満足することを特徴とするズームレンズ。
【請求項２】
全ズーム範囲における前記第１レンズ群と前記開口絞りの光軸上の距離の最小値をＴ１ｓｍｉｎとするとき、
０．３０＜Ｔ１ｓｍｉｎ／ｆｗ＜１．００
なる条件式を満足することを特徴とする請求項１に記載のズームレンズ。
【請求項３】
前記防振群Ｌｓは１枚の正レンズから構成されることを特徴とする請求項１又は２に記載のズームレンズ。
【請求項４】
前記防振群Ｌｓを構成する正レンズの材料のアッベ数をνｄＬｓとするとき、
３５．０＜νｄＬｓ
なる条件式を満足することを特徴とする請求項３に記載のズームレンズ。
【請求項５】
広角端における前記ズームレンズのバックフォーカスをＢＦＷとするとき、
ＢＦＷ／ｆＷ＜１．６
なる条件式を満足することを特徴とする請求項１乃至４のいずれか１項に記載のズームレンズ。 
【請求項６】
前記開口絞りよりも像側に、フォーカシングに際して移動するフォーカス群を有することを特徴とする請求項１乃至５のいずれか１項に記載のズームレンズ。
【請求項７】
前記後群は、物体側から像側へ順に、負の屈折力の第３レンズ群、正の屈折力の第４レンズ群より構成されることを特徴とする請求項１乃至６のいずれか１項に記載のズームレンズ。 
【請求項８】
前記後群は、物体側から像側へ順に、正の屈折力の第３レンズ群、負の屈折力の第４レンズ群、正の屈折力の第５レンズ群より構成されることを特徴とする請求項１乃至６のいずれか１項に記載のズームレンズ。
【請求項９】
前記第３レンズ群は、フォーカシングに際して光軸方向に移動することを特徴とする請求項７又は８に記載のズームレンズ。
【請求項１０】
光電変換素子に像を形成することを特徴とする請求項１乃至９のいずれか１項に記載のズームレンズ。
【請求項１１】
請求項１乃至１０のいずれか１項に記載のズームレンズと、該ズームレンズによって形成される像を受光する光電変換素子とを有することを特徴とする撮像装置。
【請求項１２】
広角端における前記ズームレンズのバックフォーカスをＢＦＷ、最大像高をＹｍａｘとするとき、
ＢＦＷ／Ｙｍａｘ＜１．８
なる条件式を満足することを特徴とする請求項１１に記載の撮像装置。
【手続補正２】
【補正対象書類名】明細書
【補正対象項目名】全文
【補正方法】変更
【補正の内容】
【発明の詳細な説明】
【発明の名称】ズームレンズ及びそれを有する撮像装置
【技術分野】
【０００１】
本発明は、ズームレンズ及びそれを有する撮像装置に関し、デジタルカメラ、ビデオカメラ、ＴＶカメラ、監視用カメラ、銀塩フィルム用カメラ等の撮像光学系に好適なものである。
【背景技術】
【０００２】
固体撮像素子を用いたビデオカメラ、デジタルスチルカメラ等の撮像装置（カメラ）に用いる撮像光学系には広い画角を包含し、小型のズームレンズであることが要望されている。またこの種のカメラには、レンズ最後部と固体撮像素子との間に、ローパスフィルターや色補正フィルターなどの各種光学部材を配置する為、それに用いる撮像光学系には、比較的バックフォーカスの長いことが要求されている。更に、撮像光学系に手ぶれ等の偶発的な振動が伝わったときに生ずる画像のぶれ（像ぶれ）を補償する機構（防振機構）を具備していること等が要望されている。
【０００３】
バックフォーカスが比較的長く、広画角のズームレンズとして物体側に負の屈折力のレンズ群が位置するネガティブリード型のズームレンズが知られている。ネガティブリード型のズームレンズで、物体側から像側へ順に、負、正、負、正の屈折力の第１レンズ群乃至第４レンズ群から成り防振機構を有した４群ズームレンズが知られている（特許文献１）。
【０００４】
特許文献１では第２レンズ群の一部のレンズ群を光軸に対して垂直方向に平行偏心させて画像のぶれを補償している。またネガティブリード型のズームレンズで、物体側から像側へ順に、負、正、正、負、正の屈折力の第１レンズ群乃至第５レンズ群から成り、防振機構を有した５群ズームレンズが知られている（特許文献２）。特許文献２では第４レンズ群を光軸に対して垂直方向に平行偏心させて画像のぶれを補償している。
【先行技術文献】
【特許文献】
【０００５】
【特許文献１】特開２００７−７８８３４号公報
【特許文献２】特開２００９−２５１１１２号公報
【発明の概要】
【発明が解決しようとする課題】
【０００６】
近年、撮像装置に用いるズームレンズには、広画角でかつレンズ系全体が小型であること、防振機構を有していること等が強く要望されている。特に画像ぶれの補正のための防振レンズ群を光軸に対して垂直方向に移動させて補正する場合には、移動機構（防振機構）の小型化及び省電力化を図るために防振レンズ群が小型軽量であることが求められている。
【０００７】
更に画像ぶれの補正時の収差変動が少なく、防振時にも良好なる光学性能が維持されることが求められている。ズームレンズの一部のレンズ群を防振レンズ群とし、光軸に対して垂直方向に平行偏心させて像ぶれを行うズームレンズにおいては、比較的容易に像ぶれを補正することができる。
【０００８】
しかしながらズームレンズのレンズ構成及び防振のために移動させる防振レンズ群のレンズ構成が適切でないと、防振時において偏心収差の発生量が多くなり、光学性能が大きく低下してくる。また駆動機構が大型化してくる。このため、防振機構を有するズームレンズでは、全体のレンズ構成や防振用の防振レンズ群の構成等を適切に設定することが重要になってくる。
【０００９】
例えば防振レンズ群の屈折力や開口絞りと防振レンズ群との距離等を適切に設定することが重要になってくる。これらの構成を適切に設定しないと、全系の小型化及び広画角化を図りつつ、防振機構の小型化を図りかつ防振時に高い光学性能を維持するのが大変困難になってくる。
【００１０】
本発明は、全体が小型でかつ広画角でありながら画像ぶれ補正時の収差補正が少なく防振時にも高い光学性能が維持できるズームレンズの提供を目的とする。
【課題を解決するための手段】
【００１１】
本発明のズームレンズは、物体側から像側へ順に、負の屈折力の第１レンズ群、正の屈折力の第２レンズ群、複数のレンズ群を含む後群より構成され、ズーミングに際して隣り合うレンズ群の間隔が変化するズームレンズであって、
前記第２レンズ群に含まれる少なくとも一部のレンズから構成される防振群Ｌｓは、像ぶれ補正に際して光軸に対して垂直方向の成分を有する方向に移動し、前記防振群Ｌｓの像側に隣接する位置に開口絞りを有し、
前記防振群Ｌｓの焦点距離をｆＬｓ、広角端における射出瞳と像面との距離をＴＥｘｐ、広角端における全系の焦点距離をｆＷとするとき、
１．３０＜ｆＬｓ／ｆＷ＜１０．００
２．００＜ＴＥｘｐ／ｆＷ＜５．００
なる条件式を満足すること
を特徴としている。
【発明の効果】
【００１２】
本発明によれば、全体が小型でかつ広画角でありながら画像ぶれ補正時の収差補正が少なく防振時にも高い光学性能が維持できるズームレンズが得られる。
【図面の簡単な説明】
【００１３】
【図１】実施例１のズームレンズの広角端の断面図
【図２】（Ａ），（Ｂ）  実施例１のズームレンズの無限遠合焦時の広角端及び望遠端における縦収差図
【図３】実施例２のズームレンズの広角端の断面図
【図４】（Ａ），（Ｂ）  実施例２のズームレンズの無限遠合焦時の広角端及び望遠端における縦収差図
【図５】実施例３のズームレンズの広角端の断面図
【図６】（Ａ），（Ｂ）  実施例３のズームレンズの無限遠合焦時の広角端及び望遠端における縦収差図
【図７】実施例４のズームレンズの広角端の断面図
【図８】（Ａ），（Ｂ）  実施例４のズームレンズの無限遠合焦時の広角端及び望遠端における縦収差図
【図９】実施例５のズームレンズの広角端の断面図
【図１０】（Ａ），（Ｂ）  実施例５のズームレンズの無限遠合焦時の広角端及び望遠端における縦収差図
【図１１】実施例６のズームレンズの広角端の断面図
【図１２】（Ａ），（Ｂ）  実施例６のズームレンズの無限遠合焦時の広角端及び望遠端における縦収差図
【図１３】実施例７のズームレンズの広角端の断面図
【図１４】（Ａ），（Ｂ）  実施例７のズームレンズの無限遠合焦時の広角端及び望遠端における縦収差図
【図１５】本発明の撮像装置の要部概略図
【発明を実施するための形態】
【００１４】
以下に本発明の好ましい実施の形態を添付の図面に基づいて詳細に説明する。本発明のズームレンズは、物体側から像側へ順に、負の屈折力の第１レンズ群、正の屈折力の第２レンズ群、複数のレンズ群を含む後群より構成され、ズーミングに際して隣り合うレンズ群の間隔が変化する。第２レンズ群に含まれる少なくとも一部のレンズから構成される防振群Ｌｓは、像ぶれ補正に際して光軸に対して垂直方向の成分を有する方向に移動している。防振群Ｌｓの像側に隣接する位置に開口絞りを有している。
【００１５】
図１は本発明のズームレンズの実施例１の広角端（短焦点距離端）におけるレンズ断面図である。図２（Ａ），（Ｂ）は実施例１のズームレンズの無限遠物体にフォーカスを合わせたとき（合焦したとき）の広角端及び望遠端（長焦点距離端）における縦収差図である。
【００１６】
図３は本発明のズームレンズの実施例２の広角端におけるレンズ断面図である。図４（Ａ），（Ｂ）は実施例２のズームレンズにおいて無限遠物体にフォーカスを合わせたときの広角端及び望遠端における縦収差図である。図５は本発明のズームレンズの実施例３の広角端におけるレンズ断面図である。図６（Ａ），（Ｂ）は実施例３のズームレンズにおいて無限遠物体にフォーカスを合わせたときの広角端及び望遠端における縦収差図である。
【００１７】
図７は本発明のズームレンズの実施例４の広角端におけるレンズ断面図である。図８（Ａ），（Ｂ）は実施例４のズームレンズにおいて無限遠物体にフォーカスを合わせたときの広角端及び望遠端における縦収差図である。図９は本発明のズームレンズの実施例５の広角端におけるレンズ断面図である。図１０（Ａ），（Ｂ）は実施例５のズームレンズにおいて無限遠物体にフォーカスを合わせたときの広角端及び望遠端における縦収差図である。
【００１８】
図１１は本発明のズームレンズの実施例６の広角端におけるレンズ断面図である。図１２（Ａ），（Ｂ）は実施例６のズームレンズにおいて無限遠物体にフォーカスを合わせたときの広角端及び望遠端における縦収差図である。図１３は本発明のズームレンズの実施例７の広角端におけるレンズ断面図である。図１４（Ａ），（Ｂ）は実施例７のズームレンズにおいて無限遠物体にフォーカスを合わせたときの広角端及び望遠端における縦収差図である。図１５は本発明の撮像装置の要部概略図である。
【００１９】
各実施例のズームレンズはビデオカメラやデジタルカメラ、そして銀塩フィルムカメラ等の撮像装置に用いられる撮像光学系（光学系）である。レンズ断面図において、左方が物体側（前方）で、右方が像側（後方）である。尚、各実施例のズームレンズをプロジェクターに用いても良く、このときは左方がスクリーン側、右方が被投射画像側となる。レンズ断面図において、ＯＬはズームレンズである。ｉは物体側からのレンズ群の順番を示し、Ｌｉは第ｉレンズ群である。ＬＲは複数のレンズ群よりなる後続群である。
【００２０】
実施例１乃至５において、後続群ＬＲは物体側から像側へ順に、負の屈折力の第３レンズ群、正の屈折力の第４レンズ群より構成されている。実施例６、７において後続群ＬＲは物体側から像側へ順に、正の屈折力の第３レンズ群、負の屈折力の第４レンズ群、正の屈折力の第５レンズ群より構成されている。Ｌｓは第２レンズ群Ｌ２の少なくとも一部よりなり、光軸に対して垂直方向の成分を持つように移動して、結像位置（画像）を光軸に対して垂直方向に移動する防振群である。防振群Ｌｓはズームレンズが振動したときに生ずる画像のぶれを軽減している。
【００２１】
ＳＰは開口絞り（開放Ｆナンバー絞り）であり、防振群Ｌｓの像側に隣接して配置されている。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。ＯＡはズームレンズＯＬの光軸である。
【００２２】
矢印は広角端から望遠端へのズーミングに際しての移動方向を示している。ズーミングに際しての各レンズ群の移動は次のとおりである。広角端から望遠端へのズーミングに際して、実施例１乃至４では第１レンズ群Ｌ１が像側へ凸状の軌跡で移動し、第２レンズ群Ｌ２乃至第４レンズ群Ｌ４が物体側へ移動する。実施例５では第１レンズ群Ｌ１が像側へ凸状の軌跡で移動し、第２レンズ群Ｌ２、第３レンズ群Ｌ３が物体側へ移動する。実施例６、７では第１レンズ群Ｌ１が像側へ凸状の軌跡で移動し、第２レンズ群Ｌ２乃至第５レンズ群Ｌ５が物体側へ移動する。
【００２３】
収差図において、ｄ（実線）、ｇ（二点鎖線）、Ｃ（一点鎖線）、Ｆ（破線）は各々ｄ線、ｇ線、Ｃ線、Ｆ線を表す。ΔＭ、ΔＳはそれぞれｄ線のメリディオナル像面、サジタル像面を表す。また歪曲収差はｄ線によって表している。またＦｎｏはＦナンバー、ωは撮影半画角（度）である。
【００２４】
各実施例では、物体側から像側へ順に、負の屈折力の第１レンズ群Ｌ１、正の屈折力の第２レンズ群Ｌ２を有する。さらに、第２レンズ群Ｌ２中または第２レンズ群Ｌ２よりも像側に開口絞りＳＰを有する。また第２レンズ群Ｌ２の全体もしくは一部の防振群Ｌｓを光軸に対して垂直方向の成分を持つように移動させ、防振を行っている。各実施例において、防振群Ｌｓの焦点距離をｆＬｓ、広角端における射出瞳と像面との距離をＴＥｘｐ、広角端における全系の焦点距離をｆＷとする。
【００２５】
このとき、
１．３０＜ｆＬｓ／ｆＷ＜１０．００    ・・・（１）
２．００＜ＴＥｘｐ／ｆＷ＜５．００    ・・・（２）
なる条件式を満足している。
【００２６】
条件式（１）は防振群Ｌｓの焦点距離ｆＬｓと広角端における全系の焦点距離ｆＷの比を規定する。条件式（１）は防振性能に関する。防振時の光学性能を良好に保つためには防振群Ｌｓの屈折力が弱い方が良いが、その場合防振敏感度が低くなる。その結果、所定の量の画像ぶれを補正するための防振群Ｌｓの変位量が大きくなり、防振群Ｌｓを駆動させるための駆動装置が大型化してくる。逆に防振群Ｌｓの屈折力が強くなると防振敏感度は上がり、防振時の防振群の変位量が小さく保てるが、光学性能を良好に保つことが困難となる。
【００２７】
条件式（１）の上限を超えると、防振群Ｌｓの屈折力が弱くなり駆動装置が大型化して好ましくない。また条件式（１）の下限を下回ると、防振群の屈折力が強くなり高い光学性能を保つことが困難となる。条件式（２）は広角端における射出瞳と像面との距離ＴＥｘｐに対する広角端における全系の焦点距離の比を規定する。条件式（２）は防振時の光学性能を良好に保ちつつ、防振群Ｌｓを小型に保つための条件式である。防振時の光学性能を良好に保つためには防振群Ｌｓは開口絞りＳＰの近傍に配置した方が良い。
【００２８】
一方、開口絞りＳＰの大きさは射出瞳距離と相関がある。射出瞳距離が長いということは、開口絞りＳＰよりも像側の正の屈折力が強い、もしくは開口絞りＳＰと像面の距離が遠いことであり、開口絞りＳＰも大型化しやすい。
【００２９】
逆に射出瞳距離が短ければ、開口絞りＳＰよりも像側のレンズ群の正の屈折力が弱い、もしくは開口絞りＳＰと像面の距離も短いことであり、有効径も比較的小さく保つことができる。当然、開口絞りＳＰの近傍に防振群を配置する場合、開口絞りＳＰの大きさによって防振群Ｌｓの大きさも決まる。つまり、開口絞りＳＰが大きければ、防振群も大型化し、ひいては装置全体の大型化につながる。したがって、防振群を開口絞りＳＰの近傍に配置し、光学性能を良好に保ちつつ、有効径の大型化を防止するためには、射出瞳距離を適切に設定する必要がある。
【００３０】
条件式（２）はその範囲を表している。条件式（２）の上限を超えると、射出瞳距離が長くなり、防振群Ｌｓが大型化するため好ましくない。逆に条件式（２）の下限を超えると、開口絞りＳＰと像面の距離が短くなりすぎて、開口絞りＳＰと開口絞りＳＰを駆動する駆動装置を配置することが困難となる。
【００３１】
以上のように条件式（１）（２）は合わせて防振時の光学性能を良好に保ちつつ、防振群Ｌｓひいては装置全体を小型に保つために必要な条件式となっている。更に好ましくは条件式（１），（２）の数値範囲を以下の範囲とするのが良い。
【００３２】
１．４０＜ｆＬｓ／ｆＷ＜８．００      ・・・（１ａ）
２．２０＜ＴＥｘｐ／ｆＷ＜５．００    ・・・（２ａ）
更に好ましくは、条件式（１ａ），（２ａ）の数値範囲を以下の範囲とするのが良い。
【００３３】
４．００＜ｆＬｓ／ｆＷ＜８．００      ・・・（１ｂ）
２．５０＜ＴＥｘｐ／ｆＷ＜４．００    ・・・（２ｂ）
各実施例によれば、以上の如く各要素を特定することによって、広画角で全ズーム範囲において高い光学性能を有し、しかも防振時の収差変動が少ないズームレンズを得ている。各実施例のズームレンズにおいて、更にレンズ系全体の小型化、広画角化を図りつつ良好な光学性能を得るために、次の諸条件のうち１以上を満足するのが良い。
【００３４】
開口絞りＳＰは防振群Ｌｓの像側の隣り合う位置に配置されており、全ズーム範囲において第１レンズ群Ｌ１と開口絞りＳＰの光軸上の距離の最小値をＴ１ｓｍｉｎとする。防振群Ｌｓは１枚の正レンズよりなり、正レンズの材料のアッベ数をνｄＬｓとする。広角端におけるバックフォーカスをＢＦＷとする。各実施例のズームレンズを像を受光する光電変換素子（固体撮像素子）を備える撮像装置に用いたときの最大像高をＹｍａｘとする。このとき、次の条件式のうち１以上を満足するのが良い。
【００３５】
０．３０＜Ｔ１ｓｍｉｎ／ｆｗ＜１．００    ・・・（３）
３５．０＜νｄＬｓ                      ・・・（４）
ＢＦＷ／ｆＷ＜１．６                    ・・・（５）
ＢＦＷ／Ｙｍａｘ＜１．８                ・・・（６）
条件式（３）はズーミングに際しての第１レンズ群Ｌ１と開口絞りＳＰの軸上の最小間隔を、広角端における全系の焦点距離で割って規格化した値である。条件式（３）は防振群Ｌｓの配置スペースに関する。防振群Ｌｓは光軸と垂直方向の成分を持つ方向に移動させるために、防振群Ｌｓの周りにレンズ保持枠、さらにそれらを駆動させる駆動系（以下ではこれらを含めて防振装置とも呼ぶ）を配置する必要がある。防振群Ｌｓを配置するためにはある程度のスペースが必要となる。
【００３６】
条件式（３）の上限を超えると、防振装置を配置するスペースは十分に確保することができるが、その分、撮像装置全体が大型化してしまうため好ましくない。条件式（３）の下限を超えると、空間的に防振装置を含めた防振群Ｌｓが配置できなくなるため好ましくない。条件式（３）は以下の範囲とすると、更に好ましい。
【００３７】
０．４０＜Ｔ１ｓｍｉｎ／ｆｗ＜０．９０    ・・・（３ａ）
更に好ましくは、以下の範囲とするのが良い。
【００３８】
０．６０＜Ｔ１ｓｍｉｎ／ｆｗ＜０．９０    ・・・（３ｂ）
条件式（４）は防振時の光学性能に関する。一般的に単レンズを平行偏芯させると偏芯倍率色が発生する。その程度は単レンズの材料が高分散であればあるほど大きい。したがって単レンズで防振した場合に光学性能を良好に保つには、単レンズを条件式（４）に入るような低分散硝材から構成することが好ましい。条件式（４）は以下の範囲とすると、更に好ましい。
【００３９】
４５．０＜νｄＬｓ      ・・・（４ａ）
更に好ましくは、以下の範囲とするのが良い。
【００４０】
５０．０＜νｄＬｓ      ・・・（４ｂ）
条件式（５）は広角端におけるバックフォーカスＢＦｗを広角端における全系の焦点距離で割って規格化した値である。条件式（５）の上限を上回るとバックフォーカスが長くなり、その分、全系が大型化してしまうため好ましくない。条件式（５）は以下の範囲とすると、更に好ましい。
【００４１】
０．７＜ＢＦＷ／ｆＷ＜１．５    ・・・（５ａ）
更に好ましくは、以下の範囲とするのが良い。
【００４２】
０．８＜ＢＦＷ／ｆＷ＜１．１    ・・・（５ｂ）
条件式（６）はズームレンズのバックフォーカスと最像装置に用いたときの最大像高の比である。条件式（６）の上限を上回ると相対的にバックフォーカスが長くなり、その分、全系が大型化してしまうため好ましくない。また射出瞳距離も長くなる傾向となり、そのためにレトロフォーカス型のパワー配置が強まり、諸収差、特に像面湾曲が増大するため好ましくない。条件式（６）は以下の範囲とすると、更に好ましい。
【００４３】
０．７＜ＢＦＷ／Ｙｍａｘ＜１．５    ・・・（６ａ）
更に好ましくは、以下の範囲とするのが良い。
【００４４】
０．７５＜ＢＦＷ／Ｙｍａｘ＜１．２    ・・・（６ｂ）
本発明の光学系は防振群を１枚の正レンズで構成し、防振群の重量を小さくし、防振装置の大型化を防いでいる。
【００４５】
本発明のズームレンズは開口絞りＳＰの像側にフォーカス群を備えている。つまり、本発明のズームレンズは物体側から像側へ順に、負の屈折力の第１レンズ群、第２レンズ群全体もしくは第２レンズ群の一部のレンズから構成される防振群Ｌｓ、防振群Ｌｓの像側に配置された開口絞りＳＰを備えている。さらにその像側に配置された合焦用レンズ群を備えている。
【００４６】
この配置について説明する。ズームレンズを備えた撮像装置の中で、防振群Ｌｓ、開口絞りＳＰ、フォーカス群の３つは撮影中に可動する。このため駆動系等の可動装置を備えている。そのため、当然それぞれ配置するためのスペースが必要となる。なお、以下では防振群Ｌｓ、開口絞りＳＰ、フォーカス群とそれぞれ駆動系や保持部材等を備えた物をそれぞれ防振装置、開口装置、合焦装置と呼ぶ。
【００４７】
それぞれの特徴について説明する。防振装置は防振群を光軸に対して垂直方向の成分を持つ方向に可動させるため、光軸と垂直方向にある程度のスペースが必要であり、上記の３つの中では装置全体の径が最も大きくなりやすい。一方、光軸方向にはそれほどのスペースを必要としない。
【００４８】
開口装置も開口絞りＳＰを小さくする、もしくは大きくする方向、つまり光軸と垂直方向の成分を持つ方向に動かすため、光軸と垂直方向にスペースが必要である。しかしその可動範囲はもともとの有効光束の範囲内であるため、防振群よりは小さく、装置全体の径も防振装置よりも小さい。また光軸方向にもそれほどのスペースを必要としない。合焦装置はフォーカス群を、光軸方向に可動させるため、光軸と水平方向にスペースが必要であるが、光軸と垂直方向にはそれほどのスペースを必要としない。
【００４９】
防振装置、開口装置、合焦装置にはそれぞれ上記の特徴がある。ここでこれらを撮像装置中に配置することを考える。撮像装置中にはこれらの装置以外に、それぞれの装置を制御するための電気基盤等が配置されているが、これらは全て撮影光束を遮らないように、光軸から垂直方向に離れた位置に配置される。またこれらは有線でつながっている必要があるため光学系がズーミング等で繰出す部分には配置しにくく、必然的により像面側に配置される。
【００５０】
つまり、像面に近い位置に径の大きい装置を配置することは困難であり、もし径の大きい物を像側に配置するとその分、撮像装置全体を物体側に伸ばして大型化してしまい好ましくない。したがって、撮像装置全体を小型に保つためには、径の大きい装置はより物体側に配置することが好ましく、物体側から順に防振装置、開口装置、合焦装置と配置するとスペースを効率良く利用でき小型な撮像装置を得ることができ好ましい。
【００５１】
次に各実施例のレンズ構成について説明する。以下、図１を参照して、本発明の実施例１のズームレンズＯＬについて説明する。実施例１は焦点距離１１．０ｍｍから２２．０ｍｍのズームレンズである。ズームレンズＯＬは負の屈折力の第１レンズ群Ｌ１、正の屈折力の第２レンズ群Ｌ２、負の屈折力の第３レンズ群Ｌ３、そして正の屈折力の第４レンズ群Ｌ４からなる。第２レンズ群Ｌ２の最も物体側に防振群Ｌｓを備え、その像側に隣接して開口絞りＳＰを有する。
【００５２】
さらにその像側に配置された第３レンズ群Ｌ３はフォーカシング用のフォーカス群であり、フォーカシングに際して光軸に沿って移動する。広角端における全系の焦点距離は１１．００ｍｍであり、防振群Ｌｓの焦点距離は７１．７５ｍｍであり、射出瞳と像面の距離ＴＥｘｐは３６．４２ｍｍである。このズームレンズにおいて条件式（１）で示される防振群Ｌｓの焦点距離を広角端における全系の焦点距離で規格化した値は６．５２であり、条件式（２）で示される射出瞳距離を広角端における全系の焦点距離で規格化した値は３．３１である。
【００５３】
実施例１のズームレンズは上記のようなパワー配置で広角端における撮影画角２ωが１０２．３°の広画角化を実現している。また、図２からわかるように球面収差、コマ収差、像面湾曲、歪曲を始めとする諸収差を良好に補正している。このように、実施例１のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズを得ている。
【００５４】
以下、図３を参照して本発明の実施例２のズームレンズＯＬについて説明する。実施例２は焦点距離１２．０ｍｍから２３．７ｍｍのズームレンズである。ズームレンズＯＬは負の屈折力の第１レンズ群Ｌ１、正の屈折力の第２レンズ群Ｌ２、負の屈折力の第３レンズ群Ｌ３、そして正の屈折力の第４レンズ群Ｌ４からなる。第２レンズ群Ｌ２の最も物体側に防振群Ｌｓを備え、その像側に隣接して開口絞りＳＰを有する。さらにその像側に配置された第３レンズ群Ｌ３はフォーカス群であり、フォーカシングに際して光軸に沿って移動する。
【００５５】
広角端における全系の焦点距離は１２．０３ｍｍであり、防振群Ｌｓの焦点距離は７３．３４ｍｍであり、射出瞳と像面の距離ＴＥｘｐは３６．９２ｍｍである。このズームレンズにおいて条件式（１）で示される防振群の焦点距離を広角端の焦点距離で規格化した値は６．１０であり、条件式（２）で示される射出瞳距離を広角端における全系の焦点距離で規格化した値は３．０７である。
【００５６】
実施例２のズームレンズは上記のようなパワー配置で広角端における撮影画角２ωが１０２．３°の広画角化を実現している。また、図４からわかるように球面収差、コマ収差、像面湾曲、歪曲を始めとする諸収差を良好に補正している。このように、実施例２のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズ撮像装置を得ることができている。
【００５７】
以下、図５を参照して、本発明の実施例３のズームレンズＯＬについて説明する。実施例３は焦点距離１１．０ｍｍから２２．０ｍｍのズームレンズである。ズームレンズＯＬは負の屈折力の第１レンズ群Ｌ１、正の屈折力の第２レンズ群Ｌ２、負の屈折力の第３レンズ群Ｌ３、そして正の屈折力の第４レンズ群Ｌ４からなる。第２レンズ群Ｌ２の最も物体側に防振群Ｌｓを備え、その像側に隣接して開口絞りＳＰを有する。さらにその像側に配置された第３レンズ群Ｌ３はフォーカス群であり、フォーカシングに際して光軸に沿って移動する。
【００５８】
広角端における全系の焦点距離は１１．００ｍｍであり、防振群Ｌｓの焦点距離は７３．４１ｍｍであり、射出瞳と像面の距離ＴＥｘｐは３６．５４ｍｍである。このズームレンズにおいて条件式（１）で示される防振群Ｌｓの焦点距離を広角端における全系の焦点距離で規格化した値は６．６７であり、条件式（２）で示される射出瞳距離を広角端における全系の焦点距離で規格化した値は３．３２である。
【００５９】
実施例３のズームレンズは上記のようなパワー配置で広角端における撮影画角２ωが１０２．３°の広画角化を実現している。また、図６からわかるように球面収差、コマ収差、像面湾曲、歪曲を始めとする諸収差を良好に補正している。このように、実施例３のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズを得ている。
【００６０】
以下、図７を参照して、本発明の実施例４のズームレンズＯＬについて説明する。実施例４は焦点距離１１．０ｍｍから２２．０ｍｍのズームレンズである。ズームレンズＯＬは負の屈折力の第１レンズ群Ｌ１、正の屈折力の第２レンズ群Ｌ２、負の屈折力の第３レンズ群、そして正の屈折力の第４レンズ群Ｌ４からなる。第２レンズ群Ｌ２の最も物体側に防振群Ｌｓを備え、その像側に隣接して開口絞りＳＰを有する。さらにその像側に配置された第３レンズ群Ｌ３はフォーカス群であり、フォーカシングに際して光軸に沿って移動する。
【００６１】
広角端における全系の焦点距離は１１．００ｍｍであり、防振群Ｌｓの焦点距離は７２．４７ｍｍであり、射出瞳と像面の距離ＴＥｘｐは３４．６９ｍｍである。このズームレンズにおいて条件式（１）で示される防振群の焦点距離を広角端における全系の焦点距離で規格化した値は６．５９であり、条件式（２）で示される射出瞳距離を広角端における全系の焦点距離で規格化した値は３．１５である。
【００６２】
実施例４のズームレンズは上記のようなパワー配置で広角端における撮影画角２ωが１０２．３°の広画角化を実現している。また、図８からわかるように球面収差、コマ収差、像面湾曲、歪曲を始めとする諸収差を良好に補正している。このように、実施例４のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズを得ている。
【００６３】
以下、図９を参照して本発明の実施例５のズームレンズＯＬについて説明する。実施例５は焦点距離１１．０ｍｍから２２．０ｍｍのズームレンズである。ズームレンズＯＬは負の屈折力の第１レンズ群Ｌ１、正の屈折力の第２レンズ群Ｌ２、負の屈折力の第３レンズ群Ｌ３、そして正の屈折力の第４レンズ群Ｌ４からなる。第２レンズ群Ｌ２の最も物体側に防振群Ｌｓを備え、その像側に隣接して開口絞りＳＰを有する。さらにその像側に配置された第３レンズ群Ｌ３はフォーカス群であり、フォーカシングに際して光軸に沿って移動する。
【００６４】
広角端における全系の焦点距離は１１．００ｍｍであり、防振群Ｌｓの焦点距離は６１．６２ｍｍであり、射出瞳と像面の距離ＴＥｘｐは３８．０３ｍｍである。このズームレンズにおいて条件式（１）で示される防振群Ｌｓの焦点距離を広角端における全系の焦点距離で規格化した値は５．６０であり、条件式（２）で示される射出瞳距離を広角端における全系の焦点距離で規格化した値は３．４６である。
【００６５】
実施例５のズームレンズは上記のようなパワー配置で広角端における撮影画角２ωが１０２．３°の広画角化を実現している。また、図１０からわかるように球面収差、コマ収差、像面湾曲、歪曲を始めとする諸収差を良好に補正している。このように、実施例５のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズを得ている。
【００６６】
以下、図１１を参照して本発明の実施例６のズームレンズＯＬについて説明する。実施例６は焦点距離１８．２ｍｍから４４．０ｍｍのズームレンズである。ズームレンズＯＬは負の屈折力の第１レンズ群Ｌ１、正の屈折力の第２レンズ群Ｌ２、正の屈折力の第３レンズ群Ｌ３、負の屈折力の第４レンズ群Ｌ４、そして正の屈折力の第５レンズ群Ｌ５からなる。
【００６７】
第２レンズ群Ｌ２全体が防振群Ｌｓであり、その像側に隣接して開口絞りＳＰを有する。さらにその像側に配置された第４レンズ群Ｌ４はフォーカス群であり、フォーカシングに際して光軸に沿って移動する。広角端における全系の焦点距離は１８．２０ｍｍであり、防振群Ｌｓの焦点距離は２７．２４ｍｍであり、射出瞳と像面の距離ＴＥｘｐは４１．６５ｍｍである。
【００６８】
このズームレンズにおいて条件式（１）で示される防振群Ｌｓの焦点距離を広角端における全系の焦点距離で規格化した値は１．５０であり、条件式（２）で示される射出瞳距離を広角端における全系の焦点距離で規格化した値は２．２９である。実施例６のズームレンズは上記のようなパワー配置で広角端における撮影画角２ωが７３．８°の広画角化を実現している。また、図１２からわかるように球面収差、コマ収差、像面湾曲、歪曲を始めとする諸収差を良好に補正している。
【００６９】
このように、実施例６のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズを得ている。
【００７０】
以下、図１３を参照して、本発明の実施例７のズームレンズＯＬについて説明する。実施例７は焦点距離１５．５ｍｍから５２．９ｍｍのズームレンズである。ズームレンズＯＬは負の屈折力の第１レンズ群Ｌ１、正の屈折力の第２レンズ群Ｌ２、正の屈折力の第３レンズ群Ｌ３、負の屈折力の第４レンズ群Ｌ４、そして正の屈折力の第５レンズ群Ｌ５からなる。第２レンズ群Ｌ２全体が防振群Ｌｓであり、その像側に隣接して開口絞りＳＰを有する。さらにその像側に配置された第４レンズ群Ｌ４はフォーカス群であり、フォーカシングに際して光軸に沿って移動する。
【００７１】
広角端における全系の焦点距離は１５．５０ｍｍであり、防振群Ｌｓの焦点距離は２７．９３ｍｍであり、射出瞳と像面の距離ＴＥｘｐは４３．３１ｍｍである。このズームレンズにおいて条件式（１）で示される防振群Ｌｓの焦点距離を広角端における全系の焦点距離で規格化した値は１．８０であり、条件式（２）で示される射出瞳距離を広角端における全系の焦点距離で規格化した値は２．７９である。
【００７２】
実施例７のズームレンズは上記のようなパワー配置で広角端における撮影画角２ωが８２．８°の広画角化を実現している。また、図１４からわかるように球面収差、コマ収差、像面湾曲、歪曲を始めとする諸収差を良好に補正している。このように、実施例７のズームレンズでは射出瞳距離や防振群Ｌｓの屈折力を適切に設定することで防振時の光学性能の変動が少ない、高性能なズームレンズを得ている。さらに物体側から順に防振群Ｌｓ、開口絞りＳＰ、フォーカス群を配置することでスペースを効率良く利用した小型なズームレンズを得ている。
【００７３】
図１５は本発明の撮像装置の要部概略図である。図１５において、１０は実施例１乃至７のいずれか１つのズームレンズ１を有する撮像光学系である。撮像光学系１は保持部材である鏡筒２に保持されている。２０はカメラ本体である。カメラ本体２０はクイックリターンミラー３、焦点板４、ペンタダハプリズム５、接眼レンズ６等によって構成されている。
【００７４】
クイックリターンミラー３は、撮像光学系１０からの光束を上方に反射する。焦点板４は撮像光学系１０の像形成位置に配置されている。ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮像光学系１０によって像側形成される。
【００７５】
このように本発明では、ズームレンズを一眼レフカメラに適用することにより、高い光学性能を有する撮像装置を実現している。尚、本発明のズームレンズは、ミラーレンズの撮像装置に適用できる。またデジタルカメラ・ビデオカメラ・銀塩フィルム用カメラ等の他に望遠鏡、双眼鏡、複写機、プロジェクター等の光学機器にも適用できる。
【００７６】
以上、本発明の好ましい実施形態について説明したが、本発明はこれらの実施形態に限定されず、その要旨の範囲内で種々の変形及び変更が可能である。
【００７７】
以下、実施例１乃至７のズームレンズの具体的な数値実施例１乃至７を示す。ｉは物体から数えた順序を示す。面番号ｉは物体側から順に数えている。Ｒｉは第ｉ面の曲率半径(mm)、Ｄｉは第ｉ番目と第ｉ＋１番目の面間隔(mm)である。Ｎｄｉとνｄｉはそれぞれｄ線に対する第ｉ面と第（ｉ＋１）面との間の媒質の屈折率、アッベ数を表す。またＢＦはバックフォーカスである。レンズ全長は第１レンズ面から像面までの距離を表す。
【００７８】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ・・・を各次数の非球面係数とするとき、
【００７９】
【数１】
2014077867.tif 000001
【００８０】
で表す。なお、各非球面係数における「Ｅ±ＸＸ」は「×１０±XX」を意味している。前述の各条件式に関係したパラメータの数値を表１に示す。表２に前述の各条件式に相当する数値を示す。
【００８１】
[数値実施例１]
単位 mm                                   
面番号     R            D           Nd          νd      光線有効径
1        30.452       2.30       1.77250       49.6       30.34
2*        8.896       8.59                                20.18
3       -64.867       1.20       1.77250       49.6       19.74
4        19.876       2.78                                18.43
5        25.154       3.91       1.73800       32.3       19.02
6       -83.477       (可変)                              18.71
7       -94.280       1.21       1.83400       37.2        9.22
8       -36.820       3.50                                 9.36
9(絞り)    ∞         2.00                                 9.64
10       12.993       4.68       1.51823       58.9        9.98
11      -10.954       0.80       1.83400       37.2        9.43
12       19.514       0.40                                 9.43
13       13.843       4.02       1.48749       70.2        9.74
14      -13.973       0.15                                10.33
15      -63.398       3.49       1.76182       26.5       10.49
16       -8.985       0.80       1.83400       37.2       10.80
17      -25.030       0.15                                11.23
18       30.854       5.63       1.49700       81.5       11.24
19       -8.100       0.80       1.88300       40.8       10.90
20      -43.415       (可変)                              11.59
21       62.117       0.80       1.83400       37.2       12.13
22       16.329       (可変)                              12.23
23       50.797       2.55       1.48749       70.2       19.34
24     -419.766       (可変)                              20.01
像面       ∞                            
【００８２】
非球面
データ                                   
円錐定数     4次の係数     6次の係数    8次の係数   10次の係数
K           B             C           D           E
第2面 -4.7384E-01  7.3430E-06   -1.2623E-07  1.8138E-09  -9.1816E-12
各種データ       広角端        中間        望遠端              
焦点距離         11.00        15.50        22.00               
Fno               4.00         4.60         5.60               
ω               51.16        41.39        31.84               
像高             13.66        13.66        13.66               
レンズ全長       90.36        85.76        87.31               
BF               11.06        16.81        25.49               
入射瞳位置       12.53        11.56        10.61               
射出瞳位置      -25.36       -24.91       -24.74               
前側主点位置     20.21        21.30        22.97               
後側主点位置      0.06         1.31         3.49               
可変間隔                                   
面番号           広角端      中間        望遠端              
6               20.48        10.13         3.00               
20               1.30         1.73         1.90               
22               7.77         7.34         7.17               
24              11.06        16.81        25.49               
群データ                                   
群     始面       焦点距離    レンズ構成長  前側主点位置  後側主点位置
1        1       -16.33        18.77        0.75        -17.57 
2        7        18.63        27.64        8.13        -12.46 
3       21       -26.77         0.80        0.60          0.16 
4       23        93.12         2.55        0.19         -1.53 
単レンズデータ                            
レンズ  始面      焦点距離   
1        1      -17.060  
2        3      -19.570  
3        5       26.600  
4        7       71.750  
5       10       12.290  
6       11       -8.310  
7       13       14.970  
8       15       13.370  
9       16      -17.200  
10      18       13.560  
11      19      -11.400  
12      21      -26.770  
13      23       93.120  
【００８３】
[数値実施例２]
単位 mm                                   
面番号     R            D          Nd          νd      光線有効径
1       24.756        1.50       1.88300       40.8       31.54
2       13.493        3.34                                24.41
3       15.534        1.80       1.58313       59.4       23.50
4*       7.468        9.77                                18.53
5      -31.870        1.20       1.58913       61.1       17.96
6       33.804        0.15                                17.75
7       23.445        3.93       1.73800       32.3       17.93
8     -102.949        (可変)                              17.55
9      -88.715        1.43       1.77250       49.6        9.53
10     -34.817        3.57                                 9.77
11(絞り)  ∞          1.91                                10.26
12      16.496        4.12       1.59551       39.2       10.62
13     -12.959        0.80       1.83400       37.2       10.24
14      24.029        1.59                                10.15
15      14.291        4.62       1.49700       81.5       10.90
16     -24.473        0.15                                11.57
17      35.328        0.80       1.88300       40.8       11.73
18      10.947        3.83       1.56384       60.7       11.54
19     -48.946        0.13                                11.79
20      63.696        5.40       1.60342       38.0       11.85
21      -8.216        0.80       1.88300       40.8       11.80
22     -46.523        (可変)                              12.58
23      29.911        0.70       1.91082       35.3       13.30
24      16.324        (可変)                              13.19
25      62.139        2.85       1.58313       59.4       19.88
26*     93.393        (可変)                              20.70
像面       ∞                            
【００８４】
非球面
データ                                   
円錐定数     4次の係数     6次の係数    8次の係数   10次の係数
K           B             C           D            E
第 4面 -9.5172E-01   1.2862E-04   2.0642E-07   7.9480E-09  -3.1156E-11
第26面 0.0000E+00   -2.3175E-06  -8.8498E-08  6.6362E-10   -2.5916E-12
各種データ     広角端       中間       望遠端              
焦点距離       12.03       17.00       23.66               
Fno             4.00        4.69        5.60               
ω             48.63       38.78       30.00               
像高           13.66       13.66       13.66               
レンズ全長     94.79       92.90       95.73               
BF             10.99       17.95       26.98               
入射瞳位置     14.68       13.78       12.92               
射出瞳位置    -25.93      -25.96      -25.83               
前側主点位置   22.79       24.20       25.98               
後側主点位置   -1.04        0.95        3.32               
可変間隔                                   
面番号       広角端       中間      望遠端              
8            18.54        9.70      3.50               
22            1.49        1.44      1.64               
24            9.38        9.43      9.22               
26           10.99       17.95     26.98               
群データ                                   
群     始面      焦点距離    レンズ構成長   前側主点位置  後側主点位置
1        1       -16.22        21.68        3.19        -16.28 
2        9        20.05        29.16        8.92        -13.33 
3       23       -40.45         0.70        0.83          0.45 
4       25       308.10         2.85       -3.46         -5.20 
単レンズデータ                            
レンズ 始面      焦点距離                     
1       1       -35.820                     
2       3       -26.870                     
3       5       -27.660                     
4       7        26.220                     
5       9        73.340                     
6       12       12.860                     
7       13      -10.000                     
8       15       18.900                     
9       17      -18.250                     
10      18       16.240                     
11      20       12.410                     
12      21      -11.410                     
13      23      -40.450                     
14      25      308.100                     
【００８５】
[数値実施例３]
単位 mm                         
面番号     R            D           Nd          νd      光線有効径
1*      50.214        2.30       1.58313       59.4       32.10
2*       8.890        9.13                                20.52
3      -43.823        1.20       1.77250       49.6       19.85
4       16.692        2.56                                18.10
5       24.841        3.70       1.91082       35.3       18.76
6     -110.630       (可変)                               18.47
7     -130.232        1.28       1.69680       55.5        9.09
8      -36.876        3.50                                 9.23
9(絞り)   ∞          2.00                                 9.62
10      11.211        4.49       1.51742       52.4       10.00
11     -14.765        0.80       1.88300       40.8        9.35
12      14.950        0.40                                 9.19
13      11.819        4.14       1.53172       48.8        9.50
14     -17.101        0.67                                10.23
15      31.522        6.71       1.49700       81.5       10.51
16      -7.227        0.67       1.85400       40.4       10.44
17*    -26.546       (可変)                               11.29
18      43.166        0.80       1.83400       37.2       12.11
19      18.139       (可変)                               12.20
20      62.546        6.85       1.62588       35.7       16.56
21     -12.150        1.00       1.83481       42.7       17.50
22     -50.363       (可変)                               19.50
像面     ∞                    
【００８６】
非球面
データ                         
円錐定数    4次の係数     6次の係数    8次の係数   10次の係数
K           B             C           D            E
第1面  0.0000E+00   2.2514E-05  -6.3808E-08   4.2156E-11  1.4451E-13
第2面 -4.7832E-01   9.5239E-06  -6.2835E-08   2.4304E-09 -4.1669E-11
第17面 0.0000E+00   2.6963E-05   3.6258E-07  -5.2493E-09  1.9541E-10
各種データ     広角端     中間     望遠端          
焦点距離       11.00      15.50    22.00           
Fno             4.00       4.63     5.60           
ω             51.16      41.39    31.84           
像高           13.66      13.66    13.66           
レンズ全長     89.99      86.41    88.30           
BF             11.04      17.16    26.00           
入射瞳位置     12.79      11.87    10.93           
射出瞳位置    -25.50     -25.33   -25.17           
前側主点位置   20.48      21.71    23.47           
後側主点位置    0.04       1.66     4.00           
可変間隔                         
面番号     広角端     中間     望遠端          
6         19.65      9.95     3.00           
17         1.30      1.53     1.75           
19         5.78      5.55     5.33           
22        11.04     17.16    26.00           
群データ                         
群     始面    焦点距離   レンズ構成長  前側主点位置   後側主点位置
1       1     -16.02       18.89            1.27          -16.90 
2       7      19.48       24.67            6.45          -12.34 
3      18     -38.07        0.80            0.76            0.32 
4      20     105.57        7.85            0.75           -4.08 
単レンズデータ                    
レンズ     始面     焦点距離               
1           1      -18.910               
2           3      -15.510               
3           5       22.570               
4           7       73.410               
5          10       13.090               
6          11       -8.310               
7          13       13.830               
8          15       12.550               
9          16      -11.820               
10         18      -38.070               
11         20       16.850               
12         21      -19.410               
【００８７】
[数値実施例４]
単位 mm                                             
面番号     R             D           Nd        νd      光線有効径
1       34.122         1.60       1.58313       59.4       31.19
2*       8.028         9.42                                19.95
3      -71.877         1.20       1.77250       49.6       19.48
4       17.965         2.39                                17.94
5       22.361         3.69       1.80000       29.8       18.39
6     -196.840         (可変)                              17.99
7     -118.088         1.92       1.48749       70.2       10.90
8      -27.338         3.50                                10.81
9(絞り)   ∞           2.00                                 9.54
10      13.335         7.54       1.48749       70.2       10.78
11     -15.343         0.80       1.83400       37.2        9.63
12      26.144         0.15                                 9.56
13      11.701         3.99       1.49700       81.5       10.36
14     -17.985         0.15                                10.79
15     -84.127         5.08       1.74077       27.8       10.81
16      -8.398         0.80       1.85400       40.4       11.02
17*    -59.178         (可変)                              11.47
18     146.634         0.80       1.83400       37.2       13.30
19      23.749         (可変)                              13.66
20      24.648         5.30       1.48749       70.2       18.30
21     -29.395         0.80       1.83400       37.2       18.93
22    -199.614         (可変)                              19.75
像面     ∞                                    
【００８８】
非球面
データ                                             
円錐定数    4次の係数    6次の係数    8次の係数   10次の係数
K           B             C           D            E
第2面 -5.4449E-01   6.5936E-06   1.3705E-08   8.5783E-11  9.8148E-12
第17面 0.0000E+00   1.5302E-04   1.3290E-06   4.4175E-09  2.4817E-10
各種データ         広角端         中間       望遠端                  
焦点距離           11.00          15.50       22.00                   
Fno                 3.78           4.49        5.60                   
ω                 51.16          41.39       31.84                   
像高               13.66          13.66       13.66                   
レンズ全長         87.38          85.14       90.28                   
BF                 11.27          17.83       28.86                   
入射瞳位置         12.41          11.51       10.69                   
射出瞳位置        -23.42         -24.00      -25.56                   
前側主点位置       19.93          21.27       23.80                   
後側主点位置        0.27           2.33        6.86                   
可変間隔                                             
面番号         広角端        中間        望遠端                  
6              17.69         8.89         3.00                   
17              3.66         3.02         1.30                   
19              3.62         4.26         5.98                   
22             11.27        17.83        28.86                   
群データ                                             
群     始面    焦点距離   レンズ構成長     前側主点位置     後側主点位置
1       1      -16.23       18.30          0.95          -16.42 
2       7       19.93       25.93          8.43          -12.09 
3      18      -34.08        0.80          0.52            0.08 
4      20       78.81        6.10         -1.99           -5.86 
単レンズデータ                                    
レンズ         始面         焦点距離                           
1               1          -18.420                           
2               3          -18.500                           
3               5           25.290                           
4               7           72.470                           
5              10           16.010                           
6              11          -11.490                           
7              13           14.930                           
8              15           12.240                           
9              16          -11.540                           
10             18          -34.080                           
11             20           28.420                           
12             21          -41.420                           
【００８９】
[数値実施例５]
単位 mm                                             
面番号       R         D         Nd        νd       光線有効径
1         49.850     1.60     1.58313      59.4         33.47
2*         8.285    10.06                               21.35
3        -60.286     1.20     1.72916      54.7         20.95
4         19.148     1.61                               19.63
5         23.684     4.13     1.91082      35.3         20.11
6        -122.962    (可変)                             19.75
7         273.075    1.79     1.80400      46.6         10.68
8         -60.345    3.50                               10.39
9(絞り)      ∞      2.00                                9.01
10         13.521    3.59     1.49700      81.5          9.48
11        -16.809    0.80     1.88300      40.8          9.05
12         16.281    0.15                                8.95
13         13.245    2.70     1.58313      59.4          9.10
14*       -22.565    0.15                                9.17
15        438.452    0.80     1.88300      40.8          9.44
16          8.948    5.97     1.66998      39.3          9.95
17        -14.546    (可変)                             11.46
18         57.281    0.80     1.83400      37.2         12.43
19         17.781    (可変)                             12.45
20        149.796    3.32     1.48749      70.2         20.59
21        -38.337    0.80     1.80000      29.8         20.97
22        -87.392                                       21.47
像面         ∞                                    
【００９０】
非球面
データ                                             
円錐定数     4次の係数   6次の係数    8次の係数   10次の係数
K           B             C           D            E
第2面 -8.0765E-01   4.7393E-05   1.2777E-07   9.2378E-10   8.0140E-12
第14面 0.0000E+00   1.2892E-04   1.0224E-07  -9.3803E-09  -9.8935E-12
各種データ         広角端         中間         望遠端                  
焦点距離           11.00         15.50         22.00                   
Fno                 3.75          4.51          5.60                   
ω                 51.16         41.39         31.84                   
像高               13.66         13.66         13.66                   
レンズ全長         87.43         85.83         90.30                   
BF                 16.00         16.00         16.00                   
入射瞳位置         12.56         11.54         10.52                   
射出瞳位置        -22.03        -32.20        -48.28                   
前側主点位置       20.38         22.05         24.99                   
後側主点位置        5.00          0.50         -6.00                   
可変間隔                                             
面番号         広角端         中間         望遠端                  
6              18.95         9.75          3.00                   
17              3.18         2.23          1.30                   
19              4.32        12.88         25.02                   
群データ                                             
群     始面    焦点距離   レンズ構成長   前側主点位置   後側主点位置
1       1      -18.91      18.61           -0.52          -18.78 
2       7       18.02      21.45           12.31           -6.95 
3      18      -31.21       0.80            0.64            0.20 
4      20      234.23       4.12            1.49           -1.20 
単レンズデータ                                    
レンズ       始面        焦点距離                           
1              1         -17.280                           
2              3         -19.800                           
3              5          22.100                           
4              7          61.620                           
5             10          15.690                           
6             11          -9.260                           
7             13          14.720                           
8             15         -10.350                           
9             16           9.210                           
10            18         -31.210                           
11            20          62.980                           
12            21         -86.000                           
【００９１】
[数値実施例６]
単位 mm                                   
面番号     R             D           Nd         νd     光線有効径
1       42.192         2.00       1.83481       42.7       38.67
2       20.779         8.32                                32.20
3      392.860         1.10       1.77250       49.6       31.58
4       31.282         2.59                                29.87
5       29.503         3.38       1.84666       23.8       30.35
6       62.162        (可変)                               29.90
7       21.910         5.14       1.69680       55.5       12.85
8     -128.457        (可変)                               12.09
9(絞り)   ∞           1.00                                11.68
10      26.166         1.23       1.72916       54.7       11.11
11      39.285         0.12                                10.72
12      19.423         2.11       1.51633       64.1       10.49
13      -31.921        0.80       1.84666       23.8        9.99
14       66.357       (可変)                                9.51
15      143.428        0.70       1.51633       64.1        8.78
16       13.723       (可変)                                8.31
17     -186.017        3.00       1.69895       30.1       13.98
18*     -49.357       (可変)                               15.11
像面       ∞                                               0.00
【００９２】
非球面
データ                                   
円錐定数       4次の係数      6次の係数   
K              B             C        
第18面   0.0000E+00    3.4776E-05      -2.9562E-09     
8次の係数     10次の係数     12次の係数
D              E             F
第18面   2.6360E-09    -2.9532E-11     1.1023E-13
各種データ       広角端       中間       望遠端              
焦点距離         18.20       24.00       44.00               
Fno               3.60        3.96        5.32               
ω               36.89       29.65       17.25               
像高             13.66       13.66       13.66               
レンズ全長      110.00       95.81       82.91               
BF               19.77       24.93       38.25               
入射瞳位置       26.66       23.65       16.85               
射出瞳位置      -21.88      -18.22      -12.86               
前側主点位置     36.91       34.30       22.96               
後側主点位置      1.57        0.93       -5.75               
可変間隔                                   
面番号       広角端      中間       望遠端              
6            44.97       27.86       4.75               
8             1.00        1.07       1.32               
14            1.50        2.04       3.71               
16           11.26        8.41       3.39               
18           19.77       24.93      38.25               
群データ                                   
群       始面     焦点距離   レンズ構成長  前側主点位置  後側主点位置
1         1       -37.32        17.39        3.61         -10.72 
2         7        27.24         5.14        0.45          -2.62 
3         9        69.58         5.26       -2.33          -5.71 
4        15       -29.44         0.70        0.51           0.05 
5        17        95.26         3.00        2.38           0.63 
単レンズデータ                            
レンズ      始面      焦点距離                     
1            1        -51.220                     
2            3        -44.060                     
3            5         63.320                     
4            7         27.240                     
5            10       103.370                     
6            12        23.720                     
7            13       -25.360                     
8            15       -29.440                     
9            17        95.260                     
【００９３】
[数値実施例７]
単位 mm                                   
面番号     R           D          Nd          νd     光線有効径
1       36.988       2.00       1.83481       42.7       36.37
2       17.193       9.24                                28.85
3     -131.121       1.10       1.83400       37.2       28.47
4       32.736       2.45                                27.39
5       30.207       3.81       1.84666       23.8       28.54
6      157.442       (可変)                              28.28
7       24.325       4.00       1.72916       54.7       13.97
8     -116.396       (可変)                              13.23
9(絞り)   ∞         1.00                                12.04
10      27.299       1.30       1.65160       58.5       11.63
11      48.916       0.12                                11.34
12      17.981       2.42       1.60311       60.6       11.12
13     -30.799       0.80       1.84666       23.8       10.63
14      48.512       (可変)                              10.12
15      43.669       0.70       1.83400       37.2        9.41
16       9.035       1.54       1.84666       23.8        9.22
17      13.879       (可変)                               9.13
18*    382.548       3.37       1.48749       70.2       16.91
19     -61.409       (可変)                              18.62
像面       ∞                            
【００９４】
非球面
データ                                   
円錐定数      4次の係数      6次の係数  
K              B             C   
第18面  0.0000E+00    -5.6762E-05    -5.1722E-07 
8次の係数    10次の係数     12次の係数
D              E             F
第18面  6.2887E-09    -1.0299E-10     4.7961E-13
各種データ       広角端       中間       望遠端              
焦点距離         15.50       27.98       52.92               
Fno               3.60        4.28        6.29               
ω               41.39       26.02       14.47               
像高             13.66       13.66       13.66               
レンズ全長      110.00       85.27       91.69               
BF               11.66       27.52       49.80               
入射瞳位置       23.12       18.08       14.37               
射出瞳位置      -31.65      -16.34      -12.03               
前側主点位置     33.07       28.20       22.00               
後側主点位置     -3.84       -0.46       -3.11               
可変間隔                                   
面番号       広角端      中間      望遠端              
6            45.37       14.17      0.66               
8             0.50        0.99      2.09               
14            0.50        1.79      1.65               
17           18.14        6.96      3.65               
19           11.66       27.52     49.80               
群データ                                   
群       始面     焦点距離   レンズ構成長  前側主点位置  後側主点位置
1         1       -30.62       18.60          2.66        -13.20 
2         7        27.93        4.00          0.40         -1.94 
3         9        48.17        5.63         -1.31         -4.90 
4        15       -25.62        2.24          1.89          0.62 
5        18       108.82        3.37          1.96         -0.31 
単レンズデータ                            
レンズ       始面       焦点距離                     
1            1         -40.340                     
2            3         -31.310                     
3            5          43.550                     
4            7          27.930                     
5           10          92.610                     
6           12          19.180                     
7           13         -22.150                     
8           15         -13.790                     
9           16          26.690                     
10          18         108.820                     
【００９５】
【表１】
2014077867.tif 000002
【００９６】
【表２】
2014077867.tif 000003
【符号の説明】
【００９７】
ＯＬ  ズームレンズ    Ｌ１  第１レンズ群    Ｌ２  第２レンズ群
Ｌ３  第３レンズ群    Ｌ４  第４レンズ群    Ｌ５  第５レンズ群
ＬＲ  後続群    ＳＰ  開口絞り    Ｌｓ  防振群